(57)【要約】【課題】照度センサが照明器具の近くにあっても適切に照度を測定し、照明光源の発光レベルを制御することができる照明装置を提供する。【解決手段】照明装置１は、室内に設置される照明装置であって、筐体に配置された光源１００と、前記筐体に配置され、光源１００からの発光を瞬間的に停止して、その停止期間内に室内の照度を測定する測定部２００と、前記照度に基づいて光源１００の発光レベルを設定する設定部３００とを備える。【選択図】図１
2011023177.tif 000002
【特許請求の範囲】
【請求項１】
室内に設置される照明装置であって、
筐体に配置された光源と、
前記筐体に配置され、前記光源からの発光を瞬間的に停止して、その停止期間内に室内の照度を測定する測定手段と、
前記照度に基づいて前記光源の発光レベルを設定する設定手段と
を備える、照明装置。
【請求項２】
前記照明装置は複数であり、
前記設定手段は、隣接する照明装置における前記発光レベルを参照することにより、自身の照明装置における前記発光レベルを設定する、請求項１に記載の照明装置。
【請求項３】
前記設定手段は、隣接する照明装置における前記発光レベルとの差が所定値以下となるように、自身の照明装置における前記発光レベルを設定する、請求項２に記載の照明装置。
【請求項４】
前記設定手段は、隣接する照明装置が備える前記光源を送信手段とし、自身の照明装置が備える前記測定手段を受信手段とする可視光通信によって、隣接する照明装置における前記発光レベルを取得する、請求項２又は３に記載の照明装置。
【請求項５】
前記測定手段による照度測定の実行タイミングを制御する制御手段をさらに備え、
前記制御手段は、隣接する照明装置における照度測定の実行タイミングとは異なる実行タイミングで、自身の照明装置における照度測定を実行する、請求項２から４のいずれかひとつに記載の照明装置。
【請求項６】
前記設定手段は、隣接する照明装置が備える前記光源を送信手段とし、自身の照明装置が備える前記測定手段を受信手段とする可視光通信によって、隣接する照明装置における前記実行タイミングの情報を取得する、請求項５に記載の照明装置。
【請求項７】
前記測定手段はさらに、前記光源の発光期間内に前記発光レベルを測定し、
当該発光レベルに基づいて、前記発光レベルを制御するための発光制御信号を補正する補正手段をさらに備える、請求項１から６のいずれかひとつに記載の照明装置。
【請求項８】
前記設定手段は、前記照明装置の設置場所に応じて、前記発光レベルを異なる値に設定可能である、請求項１から７のいずれかひとつに記載の照明装置。
【発明の詳細な説明】
【技術分野】
【０００１】
本発明は、室内に設置される照明装置に関する。
【背景技術】
【０００２】
近年の社会生活において、照明器具はなくてはならない必需品といえる。そうした中、照明器具を高い発光レベルで長時間点灯させ続けることによる電力消費が問題となっている。下記特許文献１には、建物の外側に照度センサを取り付け、建物内に差し込む外光の照度を検知することによって、室内照明の調光制御を行い、照明器具の点灯照度を最適化する技術が開示されている。
【先行技術文献】
【特許文献】
【０００３】
【特許文献１】特開２００６−１２６７９号公報
【発明の概要】
【発明が解決しようとする課題】
【０００４】
一般的な照明器具では、外光の差し込み等により室内の照度がある程度確保できている状態であっても、照明器具の光源発光レベルは一定であり、必要以上の明るさをもって照明してしまうことがある。そこで前記特許文献１のような、照度センサによる検知照度を基に照明の光源出力を制御する技術が開発されている。
【０００５】
しかしながら、照度センサを設置する場所が照明光源の近くでは、照明光源が点灯状態にあるときは自身の照明光により、室内の照度を正確に計ることができないという問題があり、照明光源が点灯状態で適切に照明できているかの判定は難しいものであった。また、この問題を避けるために照度センサと照明光源とを離して設置すると、その配線等に余計な手間やコストがかかるという問題があった。
【０００６】
本発明の目的は、照度センサが照明器具の近くにあっても適切に照度を測定し、照明光源の発光レベルを制御することができる照明装置を提供することにある。
【課題を解決するための手段】
【０００７】
本発明の第１の態様に係る照明装置は、室内に設置される照明装置であって、筐体に配置された光源と、前記筐体に配置され、前記光源からの発光を瞬間的に停止して、その停止期間内に室内の照度を測定する測定手段と、前記照度に基づいて前記光源の発光レベルを設定する設定手段とを備えることを特徴としている。
【０００８】
第１の態様に係る照明装置によれば、光源からの発光を瞬間的に停止し、その停止期間内に測定手段が照度の測定をすることで、光源からの発光に影響されることなく適切に室内の照度を計測することが可能となる。さらに、設定部が当該照度に基づいて光源の発光レベルを設定することで、光源の発光レベルを、照明装置の設置場所の照度に応じて適切に制御することができる。
【０００９】
本発明の第２の態様に係る照明装置は、第１の態様に係る照明装置において特に、当該照明装置が複数であり、前記設定手段は、隣接する照明装置における前記発光レベルを参照することにより、自身の照明装置における前記発光レベルを設定することを特徴としている。
【００１０】
第２の態様に係る照明装置によれば、隣接する照明装置の光源の発光レベルを参照することにより、隣接する照明装置同士の発光レベル差を制御すれば、室内の照明装置の発光レベルを均一化する等の処理が可能となる。
【００１１】
本発明の第３の態様に係る照明装置は、第２の態様に係る照明装置において特に、前記設定手段は、隣接する照明装置における前記発光レベルとの差が所定値以下となるように、自身の照明装置における前記発光レベルを設定することを特徴としている。
【００１２】
第３の態様に係る照明装置によれば、隣接する照明装置の光源同士の発光レベルの差を所定値以下となるように設定することにより、室内の照明装置の発光レベルを均一化することで視覚的美観を保つことができ、また、隣接する照明装置の一方のみが強く光り続けるといった偏った使用による照明装置の消耗を防ぐことができる。
【００１３】
本発明の第４の態様に係る照明装置は、第２又は第３の態様に係る照明装置において特に、前記設定手段は、隣接する照明装置が備える前記光源を送信手段とし、自身の照明装置が備える前記測定手段を受信手段とする可視光通信によって、隣接する照明装置における前記発光レベルを取得することを特徴としている。
【００１４】
第４の態様に係る照明装置によれば、設定手段は、隣接する照明装置が備える前記光源を送信手段とし、自身の照明装置が備える測定手段を受信手段とする可視光通信を行い、隣接する照明装置における前記発光レベルを取得することが可能となる。従って、照明装置に別途、通信装置等を取り付けることなく、隣接する照明装置の情報を参照することができ、照明装置の構成を簡略化することが可能となる。
【００１５】
本発明の第５の態様に係る照明装置は、第２から第４のいずれかひとつの態様に係る照明装置において特に、前記測定手段による照度測定の実行タイミングを制御する制御手段をさらに備え、前記制御手段は、隣接する照明装置における照度測定の実行タイミングとは異なる実行タイミングで、自身の照明装置における照度測定を実行することを特徴としている。
【００１６】
第５の態様に係る照明装置によれば、制御手段の制御により、隣接する照明装置における照度測定の実行タイミングとは異なる実行タイミングで、自身の照明装置における照度測定を実行することにより、隣接する照明装置同士が同時に照度測定を行うことを防ぐことが可能となる。このことにより隣接する照明装置の光源の発光レベルを適切に参照することができる。
【００１７】
本発明の第６の態様に係る照明装置は、第５の態様に係る照明装置において特に、前記設定手段は、隣接する照明装置が備える前記光源を送信手段とし、自身の照明装置が備える前記測定手段を受信手段とする可視光通信によって、隣接する照明装置における前記実行タイミングの情報を取得することを特徴としている。
【００１８】
第６の態様に係る照明装置によれば、設定手段は、隣接する照明装置が備える前記光源を送信手段とし、自身の照明装置が備える測定手段を受信手段とする可視光通信を行い、隣接する照明装置における前記実行タイミングの情報を取得することが可能となる。従って、照明装置に別途、通信装置等を取り付けることなく、隣接する照明装置の情報を参照することができ、照明装置の構成を簡略化することが可能となる。
【００１９】
本発明の第７の態様に係る照明装置は、第１から第６のいずれかひとつの態様に係る照明装置において特に、前記測定手段はさらに、前記光源の発光期間内に前記発光レベルを測定し、当該発光レベルに基づいて、前記発光レベルを制御するための発光制御信号を補正する補正手段をさらに備えることを特徴としている。
【００２０】
第７の態様に係る照明装置によれば、補正手段により光源の発光期間内に前記発光レベルを測定し、当該発光レベルに基づいて、発光レベルを制御するための発光制御信号を補正することができる。このことにより照明装置は、発光レベルを制御するための発光制御信号によって企図している発光レベルと、光源の実際の発光レベルとに差があるとき、その差を補正することができる。
【００２１】
本発明の第８の態様に係る照明装置は、第１から第７のいずれかひとつの態様に係る照明装置において特に、前記設定手段は、前記照明装置の設置場所に応じて、前記発光レベルを異なる値に設定可能であることを特徴としている。
【００２２】
第８の態様に係る照明装置によれば、照明装置の設置場所に応じて、適切な発光レベルとなるよう照明装置の光源を設定することができる。
【発明の効果】
【００２３】
本発明によれば、光源からの発光に影響されることなく適切に室内の照度を計測し、当該照度に基づいて光源の発光レベルを制御することが可能となる。
【図面の簡単な説明】
【００２４】
【図１】本発明の実施の形態に係る照明装置の構成を概略的に示す機能ブロック図である。
【図２】本発明の実施の形態に係る照明装置における発光レベル制御の動作を示すフローチャートである。
【図３】照明装置の光源における発光状態の時間経過を示したタイムチャートである。
【図４】本発明の実施の形態に係る照明装置の設置状況を模式的に示した図である。
【図５】隣接する照明装置の位置関係を模式的に示した図である。
【図６】第１の変形例における発光レベル差減殺制御の動作を示すフローチャートである。
【図７】発光レベル差減殺制御における隣接した照明装置の発光レベルの変化を示した図である。
【図８】隣接する照明装置の照度測定における光源の点灯状態を示したタイムチャートである。
【発明を実施するための形態】
【００２５】
以下、本発明の実施の形態について、図面を用いて説明する。なお、異なる図面において同一の符号を付した要素は、同一または相応する要素を示すものとする。
【００２６】
図１は、本発明の実施の形態に係る照明装置１の構成を概略的に示す機能ブロック図である。図１に示すように照明装置１は、ＣＰＵ等の信号処理部１０、光源１００、測定部２００、メモリ等の記憶部６００を備える。さらに、信号処理部１０は、光源制御部１５０、設定部３００、タイミング制御部４００、補正部５００を有している。また、光源制御部１５０の出力は、光源１００の入力に接続されている。測定部２００の出力は、設定部３００とタイミング制御部４００と補正部５００との入力に接続されている。設定部３００の出力は、光源１００と補正部５００と記憶部６００との入力に接続されている。タイミング制御部４００の出力は、光源制御部１５０と測定部２００との入力に接続されている。補正部５００の出力は、設定部３００の入力に接続されている。記憶部６００の出力は設定部３００の入力に接続されている。
【００２７】
次に、本発明の実施の形態に係る照明装置１の動作の説明を行う。照明装置１は通常の照明装置と同じく、電源が投入されると照明を行う装置である。さらに、照明装置１は照明を行う際に照度測定を行い、その照度に基づいて光源１００の発光レベル制御を行う。
【００２８】
図２は本発明の実施の形態に係る照明装置１における、発光レベル制御の動作を示すフローチャートである。ステップＳＰ１００において、照明装置１のタイミング制御部４００は、発光レベル制御を行うために光源制御部１５０へ制御タイミング情報Ｓ２０を出力する。制御タイミング情報Ｓ２０を受け取った光源制御部１５０は、光源１００の発光を停止する旨の光源制御信号Ｓ１０を光源１００に送り、これを受け取った光源１００は発光停止状態（つまり消灯状態）となる。この光源１００には、即応性の高いＬＥＤ（Light Emitting Diode）や有機ＥＬ（Electro-Luminescence）などの素子が使われており、光源１００は光源制御信号Ｓ１０によって、瞬時に点灯状態と消灯状態とを切り換えることができる。
【００２９】
次に、ステップＳＰ１１０において、照明装置１のタイミング制御部４００は、測定部２００に対し測定タイミング信号Ｓ１３を送る。測定タイミング信号Ｓ１３を受け取った測定部２００は、測定部２００の有する照度センサにより、光源１００が消灯状態のときの照度をサンプリング測定する。照明装置１は同一筐体に光源１００と測定部２００を備えており、測定部２００が有する照度センサにより、照明装置１の設置場所における室内の照度を測定することができる。光源１００が消灯状態のときの室内の照度を得た測定部２００は、照度情報Ｓ１１を設定部３００に出力する。
【００３０】
次に、ステップＳＰ１２０において、照明装置１の光源制御部１５０は、光源１００に発光を再開する旨の光源制御信号Ｓ１０を送り、これを受け取った光源１００は点灯状態となる。
【００３１】
次に、ステップＳＰ１３０において、照明装置１のタイミング制御部４００は、所定の回数のサンプリング測定が行われた否かを判定する。所定回数のサンプリング測定が行われた場合「ＹＥＳ」と判定し、ステップＳＰ１４０に進む。一方、所定回数のサンプリング測定がまだ行われていない場合は「ＮＯ」と判定し、ステップＳＰ１００に戻る。
【００３２】
ステップＳＰ１３０にて所定回数のサンプリング測定が行われ「ＹＥＳ」と判定された場合、ステップＳＰ１４０において、照明装置１の測定部２００は、所定回数分サンプリングされた照度に基づき、例えば、サンプリング測定した照度の内、最大のものと最小のものとを削除し、残りの照度を平均化するなどの誤差是正手法を用い、適切な照度を算出する（当該所定のサンプリング回数は、必ずしも複数回である必要はなく、一度の測定で適切な照度を得られる場合は、所定のサンプリング回数を１回としてもよい）。この算出された照度を、測定部２００は照度情報Ｓ１１として設定部３００へ出力する。
【００３３】
次に、ステップＳＰ１５０において、照明装置１の設定部３００は、受け取った照度情報Ｓ１１に基づいて、適切な発光レベルを設定する発光レベル制御信号Ｓ１２を生成し、光源１００に出力する。具体的には、照度情報Ｓ１１を受け取った設定部３００は、記憶部６００に対して問い合わせ信号Ｓ１８を送り、照度情報Ｓ１１の照度の場合に適切である発光レベルを問い合わせる。記憶部６００は、照度毎に適切であると設定された発光レベルがまとめられたデータテーブル６５０を保持しており、このデータテーブル６５０に基づき、照度情報Ｓ１１の照度の場合に適切である発光レベル情報Ｓ１９を設定部３００に出力する。この発光レベル情報Ｓ１９を受け取った設定部３００は、当該発光レベル情報Ｓ１９に基づいた発光レベル制御信号Ｓ１２を出力し、光源１００を適切な発光レベルに設定する。
【００３４】
また、照明装置１は、この発光レベル制御を一定期間ごとに行う。照明装置１はその都度、照明装置１の設置場所における照度を計測し発光レベルを設定することで、照明装置１の設置場所における照度が変化しても、適切な発光レベルでの照明が行えるように制御する。
【００３５】
以上のように、照明装置１は発光レベル制御を行い、光源１００の発光レベルは、測定部２００にて測定される照度に合った発光レベルに設定される。図３に、発光レベル制御時の光源１００における発光状態の時間経過を表したタイムチャートの一例を示す。発光レベル制御の照度のサンプリング測定中は光源１００が消灯状態となる。なお、図３においては、一度の照度測定で５回のサンプリング測定が行われている場合を例示しているが、サンプリング測定の回数はこの限りではなく、また、タイムチャートにおける各時間も例示である。
【００３６】
図３で示すように、ステップＳＰ１００にて光源１００を消灯状態にしてから、ステップＳＰ１３０にて光源１００を点灯状態にするまでの時間を数ミリ秒程度にすることで、消灯期間は瞬間的なものとなり、人間の視覚的には消灯されていることが認識されず、見た目上、照明装置１は点灯状態を保っているように見せることができる。このことにより、人間の視覚的には点灯状態を保ちながら、光源１００を瞬間的に消灯状態にした場合の室内の照度を測定することが可能となる。
【００３７】
照明が点灯状態の室内の照度はＪＩＳ（Japanese Industrial Standards）などの基準規格により、ある程度の照度を確保することが求められおり、照明装置としての役割を果たすためにも、室内の照度を一定値以上に保つことが必要である。しかしながら、照度を確保するために照明装置１の光源１００を必要以上の発光レベルで使用することは、消費エネルギーの無駄となるため望ましくない。そこで本発明の実施の形態に係る照明装置１では、照度測定時に光源１００を消灯状態にして測定を行うことで、照明装置１が消灯状態のときの照度を取得し、光源１００をその照度にあった発光レベルに設定することで、消費エネルギーの無駄がない照明を行うことができる。
【００３８】
また、ＪＩＳ規格によると、照明装置の設置場所に応じて、適切な室内照度が異なる値に設定されている。従って、設置部６００には、照明装置１の設置場所に応じて複数のデータテーブル６５０が保持されていることが望ましい。この場合には、設定部３００に入力される設置場所情報Ｓ３０を用いて、発光レベル情報Ｓ１９の問い合わせ先のデータテーブル６５０を切り換えることが出来る。したがって、照明装置１はデータテーブル６５０を切り換えることによって、設置場所に応じて適切な発光レベルとなるよう照明装置１の光源１００を設定することができる。
【００３９】
さらに、照明装置１の光源１００を消灯させて照度測定を行うことで、自身の照明光に左右されず、室内の照度を測定することができるため、光源１００と測定部２００とを距離が近い場所に設置することが可能となる。よって、光源１００と測定部２００との位置関係を固定化できるため、照度センサを照明装置から切り離して照度を測定する場合よりも、室内の環境条件に左右されず照度を測定し、光源１００を測定照度に対して適切な発光レベルに制御することが可能である。
【００４０】
＜第１の変形例＞
図４は、本発明の実施の形態に係る第１の変形例に関する照明装置１の設置状況を模式的に示した図である。照明装置１は、室内で複数設置される照明装置であって、図４に示した例では、照明装置１Ａと照明装置１Ｂと照明装置１Ｃとが設置されている。また、各々の照明装置の設置場所は、外光に起因する直射光及び反射光などの光Ｓ２１や、隣接する他の照明装置からの照明光の影響により照度が異なっている。
【００４１】
ここで、照明装置１Ａと照明装置１Ｂと照明装置１Ｃとが互いの発光レベルの参照を行わず、それぞれ独立に発光レベル制御を行った場合、室内の照度は他の照明装置１からの照明光の合成値に影響されるので、ある照明装置が高い発光レベルで点灯し、また一方、他の照明装置が低い発光レベルで点灯するといった状態になるおそれがある。この照明装置毎に、発光レベルが大きく異なる状態は、室内に必要な照度の基準を満たしてはいても、見た目上の美観を損なうことがあり、さらに、特定の照明装置だけが高い発光レベルで点灯し続ければ、発光レベルが高い照明装置だけが消耗し、照明装置の寿命を縮めるおそれがある。第１の変形例では、隣接する他の照明装置１の光源における発光レベルを得ることで、隣接する照明装置１同士の発光レベルの差を制御を行い、これらの問題を解決する。
【００４２】
図５に、隣接する照明装置１Ａと照明装置１Ｂとの位置関係を模式的に表した図を示す。照明装置１Ａは、信号処理部１０Ａ、光源１００Ａ、測定部２００Ａ、記憶部６００Ａを備えており、信号処理部１０Ａは、光源制御部１５０Ａ、設定部３００Ａ、タイミング制御部４００Ａ、補正部５００Ａを有している。同様に、照明装置１Ｂは、信号処理部１０Ｂ、光源１００Ｂ、測定部２００Ｂ、記憶部６００Ｂを備えており、信号処理部１０Ｂは、光源制御部１５０Ｂ、設定部３００Ｂ、タイミング制御部４００Ｂ、補正部５００Ｂを有している。
【００４３】
このとき、照明装置１Ａが備える測定部２００Ａが測定する照度は、照明装置１Ｂの光源１００Ｂが発する照明光に起因する光Ｓ２２により変化する。したがって、照明装置１Ａの測定部２００Ａは、隣接する照明装置１Ｂの光源１００Ｂの発光レベルの変化を検知することが出来る。このことを用い、照明装置１Ａと照明装置１Ｂは、照明装置１Ａの測定部２００Ａを受信手段とし、照明装置１Ｂの光源１００Ｂを送信手段とする可視光通信を行うことができる。また逆に、照明装置１Ｂの測定部２００Ｂを受信手段とし、照明装置１Ａの光源１００Ａを送信手段とすることで双方向に通信が可能となる。この可視光通信では、発光レベル変化の検知を利用してデータ通信を行い、送信側から受信側にデータを送ることができる。
【００４４】
第１の変形例では、可視光通信により隣接する他の照明装置１の光源における発光レベルを得ることで、隣接する照明装置１Ａと照明装置１Ｂとは発光レベルの差を減殺する制御を行う。図６は、第１の変形例における発光レベル差減殺制御の動作を示すフローチャートである。本発明の実施の形態に係る第１の変形例の動作の説明を、図６を用いて行う。
【００４５】
まず、ステップＳＰ２００において、照明装置１ＡはステップＳＰ１００からステップＳＰ１５０で示した発光レベル制御を行う。測定部２００Ａは光源１００Ａが消灯状態のときの照度を測定し、当該照度に基づいて、光源１００Ａの発光レベルを設定する。
【００４６】
次に、ステップＳＰ２１０において、照明装置１Ａは可視光通信を用いて照明装置１Ｂから光源１００Ｂの発光レベル情報を得る。このときの可視光通信で送受される情報データには、送り元である照明装置１ＢのＩＤ情報も含まれているため、照明装置１Ａは、周りに他の照明装置１があった場合でも送られてきた情報が照明装置１Ｂのものであることを判別することができる。光源１００Ｂの発光レベル情報を受け取った測定部２００Ａは、設定部３００Ａにその情報を送る。
【００４７】
次に、ステップＳＰ２２０において、照明装置１Ａの設定部３００Ａは受け取った光源１００Ｂの発光レベルと自身の光源１００Ａの発光レベルとを比べ、その差が所定値以下か否かを判定する。光源１００Ａの発光レベルと光源１００Ｂの発光レベルとの差が所定値以下の場合、「ＹＥＳ」と判定し、発光レベル差減殺制御を終了する。一方、光源１００Ａの発光レベルと光源１００Ｂの発光レベルとの差が所定値を超えている場合、「ＮＯ」と判定しステップＳＰ２３０に進む。
【００４８】
ステップＳＰ２２０にて「ＮＯ」と判定された場合、ステップＳＰ２３０において、照明装置１Ａの設定部３００Ａは、自身の光源１００Ａの発光レベルが、隣接する照明装置１Ｂの光源１００Ｂの発光レベルと比べ高いか否かを判定する。光源１００Ａの発光レベルが光源１００Ｂの発光レベルを超えている場合は「ＹＥＳ」と判定され、ステップＳＰ２５０に進む。光源１００Ａの発光レベルが光源１００Ｂの発光レベル以下の場合は「ＮＯ」と判定され、ステップＳＰ２４０に進む。
【００４９】
ステップＳＰ２３０にて「ＮＯ」と判定された場合、ステップＳＰ２４０において、照明装置１Ａの設定部３００Ａは光源１００Ａに対して発光レベルを上げる旨の発光レベル制御信号Ｓ１２を送る。この発光レベル制御信号Ｓ１２を受け取った光源１００Ａは、所定レベルだけ発光レベルを上げ、ステップＳＰ２５０に進む。
【００５０】
次に、ステップＳＰ２５０において、ステップＳＰ２００からステップＳＰ２４０にて示した発光レベル差減殺制御が照明装置１Ｂでも同様に行われる。ここで光源１００Ａの発光レベルが光源１００Ｂの発光レベルと比べ、その差が所定値を越え、光源１００Ｂの発光レベルの方が高かったとすると、照明装置１ＡではステップＳＰ２４０が実行され、光源１００Ａの発光レベルが上がる。従って、光源１００Ａが発する照明光に起因する光によって、隣接する照明装置１Ｂの測定部２００Ｂが測定する照度も明るくなる。すると、ステップＳＰ２５０において照明装置１Ｂが行う発光レベル制御により、照明装置１Ｂの光源１００Ｂは、明るくなった照度に対応して発光レベルを低く設定し直す。よって、隣接する照明装置１Ｂの光源１００Ｂに比べ発光レベルが低かった光源１００Ａは発光レベルを上げ、隣接する照明装置１Ａの光源１００Ａに比べ発光レベルが高かった光源１００Ｂは発光レベルを下げる。この発光レベル変更は照明装置１Ａと照明装置１Ｂとの発光レベルの差が所定値以下になるまで繰り返される。
【００５１】
一方、光源１００Ａの発光レベルが光源１００Ｂの発光レベルと比べ、その差が所定値を越え、光源１００Ａの発光レベルの方が高かったとすると、照明装置１Ａの発光レベル差減殺制御は、ステップＳＰ２３０にて「ＮＯ」と判断されステップＳＰ２５０に進む。このステップＳＰ２５０において照明装置１Ｂで発光レベル差減殺制御が行われると、当該制御により光源１００Ｂの発光レベルが所定レベルだけ上がる。光源１００Ｂの発光レベルが上げられることで、光源１００Ｂが発する照明光に起因する光Ｓ２２により、照明装置１Ａの測定部２００Ａによって測定される照度が明るくなる。この後、照明装置１ＡにてステップＳＰ２００が実行されると、照明装置１Ａは発光レベル制御を行い、明るくなった照度に対応して、発光レベルを下げる制御が行われる。よって、隣接する照明装置１Ｂの光源１００Ｂに比べ発光レベルが高かった光源１００Ａは発光レベルを下げ、隣接する照明装置１Ａの光源１００Ａに比べ発光レベルが低かった光源１００Ｂは発光レベルを上げることになる。この発光レベル変更は照明装置１Ａと照明装置１Ｂとの発光レベルの差が所定値以下になるまで繰り返される。
【００５２】
以上のように、照明装置１Ａと照明装置１ＢとがステップＳＰ２００からステップＳＰ２４０を交互に繰り返し、光源の発光レベル差が所定値以下になるまで繰り返すことで、隣接する照明装置の発光レベルの差が所定値を越えないように制御を行うことができる。図７に隣接する照明装置１同士が発光レベル差減殺制御を行ったときの発光レベルの変化の一例を示す。図中、時刻Ｔ１、時刻Ｔ３、時刻Ｔ５は照明装置１Ｂが発光レベル差減殺制御を行った時刻である。時刻Ｔ２、時刻Ｔ４は照明装置１Ａが発光レベル差減殺制御を行った時刻である。発光レベルが低かった照明装置１Ｂの光源１００Ｂは所定のレベルＤずつ発光レベルを増加させ、対する発光レベルが高かった照明装置１Ａの光源１００Ａは、測定部２００Ａが測定する照度の変化に応じて、発光レベルを制御している。
【００５３】
なお、第１の変形例として照明装置１同士が可視光通信を行う例をあげたが、本発明の実施の形態では、照明装置１が隣接する他の照明装置１の発光レベル情報を得る手段を可視光通信に限るものではなく、有線による通信や他の無線通信を用いて発光レベル情報を得てもよい。
【００５４】
＜第２の変形例＞
本発明の実施の形態に係る第２の変形例では、隣接する照明装置１同士の照度測定の実行タイミングをずらす制御が行われる。
【００５５】
第２の変形例に係る照明装置１は、第１の変形例と同様に可視光通信によって隣接する照明装置の照度測定の実行タイミング情報を得る。また、実行タイミング情報に併せ、送信元の照明装置のＩＤも得るので、送信元照明装置の判別が可能である。このとき、照明装置１の測定部２００は受信した実行タイミング情報Ｓ１４をタイミング制御部４００に送る。
【００５６】
隣接する他の照明装置１の照度測定の実行タイミング情報が入力されたタイミング制御部４００は、その情報を基に、自身の照度測定の実行タイミングが隣接する他の照明装置の実行タイミングと重ならないように、自身の照度測定タイミングを設定する測定タイミング制御信号Ｓ１３を測定部２００に出力する。測定部２００が測定タイミング制御信号Ｓ１３に基づいて照度測定を行うことで、第２の変形例に係る照明装置１は、隣接する照明装置１同士の照度測定の実行タイミングをずらすことができる。図８は隣接する照明装置１の照度測定における光源の点灯状態を示したタイムチャートである。隣接する照明装置１Ａと照明装置１Ｂと照明装置１Ｃの照度測定による光源の消灯期間は重ならないように設定されている。
【００５７】
本発明の実施の形態に係る照明装置１では、測定部２００が測定した照度に基づき、光源１００の発光レベル制御が行われるため、隣接する照明装置１同士が同じタイミングで消灯を行ったときに照度を測定すれば、測定部２００は隣接する照明装置１に起因する照明を考慮にいれない照度を測定してしまい、発光レベル制御に支障を来すおそれがある。そこで第２の変形例では、隣接する他の照明装置１の照度測定の実行タイミングを得ることで、自身の照度測定のタイミングをずらし、これらの問題を解決することができる。
【００５８】
なお、第２の変形例として照明装置１同士が可視光通信を行う例をあげたが、本発明の実施の形態では、照明装置１が隣接する他の照明装置１の発光レベル情報を得る手段を可視光通信に限るものではなく、有線による通信や他の無線通信を用いて発光レベル情報を得てもよい。さらに、ずれた実行タイミングの設定は、通信によって近接する他の照明装置１の照度測定の実行タイミングを得る方法に限らず、照明装置１に実装されたスイッチ等によって、照明装置１それぞれに別の実行タイミングを指定するなどの方法を用いてもよい。
【００５９】
＜第３の変形例＞
本発明の実施の形態に係る第３の変形例では、測定部２００の照度測定結果から、自身の発光レベルを算出し、設定部３００で設定される発光レベル制御信号Ｓ１２の値を補正することができる。
【００６０】
第３の変形例に係る照明装置１は、光源１００が点灯状態のときに測定部２００によって照度を測定し、自身の光源１００が点灯状態の照度を得る。さらに光源１００が消灯状態の照度を測定する（ステップＳＰ１００からステップＳＰ１４０までの場合と同様の測定）。光源１００が点灯状態の照度から、光源１００が消灯状態の照度を減算することで、測定部２００は光源１００の発光レベルの測定値を得る。
【００６１】
次に、測定部２００は算出された発光レベルを測定発光レベル情報Ｓ１５として補正部５００に出力する。また、設定部３００は、発光レベル制御信号Ｓ１２により光源１００に対して現在設定している設定発光レベル情報Ｓ１６を補正部５００に出力する。測定発光レベル情報Ｓ１５と設定発光レベル情報Ｓ１６とを得た補正部５００は、その両者にずれがないかを判断し、ずれがあった場合、そのずれを補正する為の補正情報Ｓ１７を設定部３００に出力する。補正情報Ｓ１７を受け取った設定部３００は、補正情報Ｓ１７に基づいて、発光レベル制御信号Ｓ１２の設定値を補正する。
【００６２】
以上のように、第３の変形例の照明装置１では、測定部２００による発光レベル測定の結果を用いて、光源１００に対して発光レベルの指定を行う発光レベル制御信号Ｓ１２の値の補正を行うことが可能である。この補正により、光源１００に使われている素子が消耗等により、設定した発光レベルよりも低い発光レベルで発光を行うようになった場合など、設定した発光レベルと実際の発光レベルとに差が生じた場合にその補正を行うことが可能となる。
【００６３】
今回開示された実施の形態は、すべての点で例示であり制限的なものではないと考えられるべきである。本発明の範囲は、上記した意味ではなく、特許請求の範囲にとって示され、特許請求の範囲と均等の意味及び範囲内でのすべての変更が含まれることが意図される。
【符号の説明】
【００６４】
１  照明装置
１０  信号処理部
１００  光源
１５０  光源制御部
２００  測定部
３００  設定部
４００  タイミング制御部
５００  補正部
６００  記憶部
６５０  データテーブル
【図１】
2011023177.tif 000003
【図２】
2011023177.tif 000004
【図３】
2011023177.tif 000005
【図４】
2011023177.tif 000006
【図５】
2011023177.tif 000007
【図６】
2011023177.tif 000008
【図７】
2011023177.tif 000009
【図８】
2011023177.tif 000010